(57)【要約】      （修正有）【課題】電力の消費を極力抑えて長期にわたって洪水の発生を検知して警報を発することができる洪水発生警報装置を提供すること。【解決手段】水を検知する水検知スイッチ手段２を備えた主回路部４０と、警報を発する警報手段４Ａ，４Ｂを備えた副回路部４２とを具備する洪水発生警報装置。主回路部には、水検知スイッチ手段に電気的に直列に作動リレー４８が配設されているとともに、水検知スイッチ手段に電気的に並列に第１セットリレー５２が配設されている。また副回路部には、警報手段４Ａ，４Ｂに電気的に直列に第２セットリレー５４，５６，５８が配設されている。水検知スイッチ手段が水を検知してオン状態になると、作動リレー４８が付勢されて第１及び第２セットリレーが付勢され、作動リレーが付勢状態に保持されるとともに、警報手段が作動される。【選択図】図３
2013109558.tif 000002
【特許請求の範囲】
【請求項１】
水を検知する水検知スイッチ手段を備えた主回路部と、警報を発する警報手段を備えた副回路部とを具備しており、前記主回路部には、前記水検知スイッチ手段に電気的に直列に作動リレーが配設されているとともに、前記水検知スイッチ手段に電気的に並列に第１セットリレーが配設されており、また前記副回路部には、前記警報手段に電気的に直列に第２セットリレーが配設されており、
前記水検知スイッチ手段が水を検知してオン状態になると、前記作動リレーが付勢されて前記第１及び第２セットリレーが付勢され、前記第１セットリレーの付勢によって、前記作動リレーが付勢状態に保持され、前記第２セットリレーが付勢されることによって、前記警報手段が作動されることを特徴とする洪水発生警報装置。
【請求項２】
前記主回路部には、前記作動リレーに電気的に直列にリセットスイッチ及びリセットリレーが配設されており、前記リセットスイッチをオフ状態にすると、前記リセットリレーが除勢状態となって前記作動リレーが除勢され、これによって、前記第１及び第２セットリレーが除勢されることを特徴とする請求項１に記載の洪水発生警報装置。
【請求項３】
前記水検知スイッチ手段は、水面の上昇によって上方に移動するフロートを備えたフロートスイッチ手段から構成され、前記フロートが所定レベルまで上昇すると、前記フロートスイッチ手段がオン状態となることを特徴とする請求項１又は２に記載の洪水発生警報装置。
【請求項４】
前記副回路部に関連して、携帯用照明装置が設けられ、前記携帯用照明装置の照明回路部にリレースイッチ手段及び警報手段が電気的に直列に設けられ、また前記副回路部に第３セットリレーが設けられており、前記水検知スイッチ手段が水を検知してオン状態になると、前記作動リレーが付勢されて前記第１及び第２セットリレー並びに前記第３セットリレーが付勢され、前記第３セットリレーにより前記リレースイッチ手段がオン状態となって、前記携帯用照明装置の前記警報手段が作動されることを特徴とする請求項１に記載の洪水発生警報装置。
【請求項５】
請求項１〜４のいずれかに記載の洪水発生警報装置と、前記洪水発生警報装置からの洪水発生信号を受信するシステム制御手段と、警報情報を出力する警報情報出力手段とを備え、前記洪水発生警報装置は、土地の高さレベルに対応して複数設置され、前記システム制御手段は、前記洪水発生警報装置からの洪水発生信号に基づいてその洪水発生警報装置の設置された設置高さレベルに基づいた設置レベル洪水発生信号を生成し、生成した前記設置レベル洪水発生信号に対応した設置レベル洪水情報を選択し、選択された前記設置レベル洪水情報が前記警報情報出力手段から出力されることを特徴とする洪水発生警報システム。
【発明の詳細な説明】
【技術分野】
【０００１】
本発明は、洪水の発生を検知して警報を発する洪水発生警報装置及びこれを用いた洪水発生警報システムに関する。
【背景技術】
【０００２】
例えば、河川などの水位を検知して警報を発する水位警報ユニットが提案されている（例えば、特許文献１参照）。この水位警報ユニットは、河川などの水位を検知する水位計測センサと、この水位計測センサからの計測信号を処理するデータ処理部と、計測した水位と予め設定された設置水位とを比較して水位を判定する水位判定手段と、警報を発する警報手段とを備えている。設定水位としては、例えば、平常水位、注意水位、避難水位、洪水水位などが設定され、例えば、水位計測センサによる計測水位が注意水位（又は避難水位、洪水水位）に達すると、水位判定手段は注意水位（又は避難水位、洪水水位）と判定して注意信号（又は避難信号、洪水信号）を生成し、この注意信号（又は避難信号、洪水信号）に基づいて警報手段は注意警報（又は避難警報、洪水警報）を発する。
【先行技術文献】
【特許文献】
【０００３】
【特許文献１】特開２０１０−１７０１９０号公報
【発明の概要】
【発明が解決しようとする課題】
【０００４】
しかしながら、この従来の水位警報ユニットでは、次の通りの解決すべき問題がある。第１に、水位計測センサは、常時、河川の水位を計測しているので、この計測のために電力を消費し、この電力を蓄電池などから得ようとする場合には、長期にわたって継続して使用することが難しく、所定期間経過する毎に蓄電池を交換する（又は充電する）必要がある。一方、この電力を商用電力から得ようとする場合には、電力供給のための電気工事などが必要となり、設置工事が大がかりとなって設置コストが高くなるという問題がある。
【０００５】
第２に、この水位警報ユニットは、河川の水位を計測するためのものであって、河川の水位によって洪水が発生するおそれがあるか否かの予測をして警報を発生することができるが、洪水が発生した後にどの地域まで拡がるおそれがあるかなどの予測をして警報を発することが難しいという問題がある。
【０００６】
本発明の目的は、電力の消費を極力抑えて長期にわたって洪水の発生を検知して警報を発することができる洪水発生警報装置を提供することである。
【０００７】
また、本発明の他の目的は、洪水がどの地域まで拡がっているかを容易に知ることができ、その知った情報に基づいて洪水警報を発することができる洪水発生警報システムを提供することである。
【課題を解決するための手段】
【０００８】
本発明の請求項１に記載の洪水発生警報装置は、水を検知する水検知スイッチ手段を備えた主回路部と、警報を発する警報手段を備えた副回路部とを具備しており、前記主回路部には、前記水検知スイッチ手段に電気的に直列に作動リレーが配設されているとともに、前記水検知スイッチ手段に電気的に並列に第１セットリレーが配設されており、また前記副回路部には、前記警報手段に電気的に直列に第２セットリレーが配設されており、
前記水検知スイッチ手段が水を検知してオン状態になると、前記作動リレーが付勢されて前記第１及び第２セットリレーが付勢され、前記第１セットリレーの付勢によって、前記作動リレーが付勢状態に保持され、前記第２セットリレーが付勢されることによって、前記警報手段が作動されることを特徴とする。
【０００９】
また、本発明の請求項２に記載の洪水発生警報装置では、前記主回路部には、前記作動リレーに電気的に直列にリセットスイッチ及びリセットリレーが配設されており、前記リセットスイッチをオフ状態にすると、前記リセットリレーが除勢状態となって前記作動リレーが除勢され、これによって、前記第１及び第２セットリレーが除勢されることを特徴とする。
【００１０】
また、本発明の請求項３に記載の洪水発生警報装置では、前記水検知スイッチ手段は、水面の上昇によって上方に移動するフロートを備えたフロートスイッチ手段から構成され、前記フロートが所定レベルまで上昇すると、前記フロートスイッチ手段がオン状態となることを特徴とする。
【００１１】
また、本発明の請求項４に記載の洪水発生警報装置では、前記副回路部に関連して、携帯用照明装置が設けられ、前記携帯用照明装置の照明回路部にリレースイッチ手段及び警報手段が電気的に直列に設けられ、また前記副回路部に第３セットリレーが設けられており、前記水検知スイッチ手段が水を検知してオン状態になると、前記作動リレーが付勢されて前記第１及び第２セットリレー並びに前記第３セットリレーが付勢され、前記第３セットリレーにより前記リレースイッチ手段がオン状態になって、前記携帯用照明装置の前記警報手段が作動されることを特徴とする。
【００１２】
更に、本発明の請求項５に記載の洪水発生警報システムは、請求項１〜４のいずれかに記載の洪水発生警報装置と、前記洪水発生警報装置からの洪水発生信号を受信するシステム制御手段と、警報情報を出力する警報情報出力手段とを備え、前記洪水発生警報装置は、土地の高さレベルに対応して複数設置され、前記システム制御手段は、前記洪水発生警報装置からの洪水発生信号に基づいてその洪水発生警報装置の設置された設置高さレベルに基づいた設置レベル洪水発生信号を生成し、生成した前記設置レベル洪水発生信号に対応した設置レベル洪水情報を選択し、選択された前記設置レベル洪水情報が前記警報情報出力手段から出力されることを特徴とする。
【発明の効果】
【００１３】
本発明の請求項１に記載の洪水発生警報装置によれば、主回路部に水検知スイッチ手段に電気的に直列に作動リレーが配設されているとともに、水検知スイッチ手段に電気的に並列に第１セットリレーが配設され、また副回路部に警報手段に電気的に直列に第２セットリレーが配設されているので、水検知スイッチ手段が水を検知してオン状態になると、作動リレーが付勢されて第１及び第２セットリレーが付勢される。そして、水検知スイッチ手段がオン状態になって初めて電源からの電力が供給されて作動リレーが作動されるので、水検知スイッチ手段による検知状態においては電力を消費せず、水検知のための消費電力を極力抑えて長期にわたって水検知、即ち洪水発生検知を行うことができる。
【００１４】
また、作動リレーがオン状態となって第１セットリレーが付勢されると、この第１セットリレーを介して作動リレーが付勢状態に保持されるので、水検知（即ち、洪水検知）した後は、この検知状態が保持される。加えて、作動リレーがオン状態となると、第２セットリレーが付勢されて警報手段が作動されるので、水検知（即ち、洪水検知）した後は、警報手段が作動し続け、周囲に洪水が発生したことを知らせることができる。
【００１５】
尚、警報手段は、光によって警報を発する警報ランプ、音によって警報を発する警報ブザー、音声によって警報を発する音声出力装置（例えば、スピーカ）などであり、これらを単体で、或いは複数組み合わせて用いることができる。
【００１６】
また、本発明の請求項２に記載の洪水発生警報装置によれば、主回路部に作動リレーに電気的に直列にリセットスイッチ及びリセットリレーが配設されているので、リセットスイッチをオフ状態にすると、リセットリレーが除勢状態となって作動リレーが除勢される。従って、作動リレーの除勢によって、第１及び第２セットリレーが除勢され、警報手段への電力の供給が停止して警報手段の作動を停止させることができる。
【００１７】
また、本発明の請求項３に記載の洪水発生警報装置によれば、水検知スイッチ手段がフロートを備えたフロートスイッチ手段から構成されているので、フロートの上昇によってフロートスイッチ手段がオン状態になると、電源からの電力が初めて供給されて作動リレーが作動されるようになり、従って、簡単な構成でもって洪水を検知することができるとともに、電力の消費を極力抑えることができる。
【００１８】
また、本発明の請求項４に記載の洪水発生警報装置によれば、副回路部に関連して、携帯用照明装置が設けられ、この携帯用照明装置の照明回路部にリレースイッチ手段及び警報手段が電気的に直列に設けられ、また副回路部に第３セットリレーが設けられているので、水検知スイッチ手段が水を検知してオン状態になると、作動リレーが付勢されて第３セットリレーが付勢され、これによって、リレースイッチ手段がオン状態となって携帯用照明装置の警報手段が作動され、携帯用照明装置によっても洪水の発生を知らせることができるとともに、この発せられた警報によって携帯用照明装置の置き場所も容易に知ることができる。
【００１９】
更に、本発明の請求項５に記載の洪水発生警報システムによれば、請求項１〜４のいずれかに記載の洪水発生警報装置を備えているので、電力の消費を極力抑えながら洪水の発生を長期にわたって検知することができる。また、この洪水発生警報装置は、土地の高さレベルに対応して複数設置されているので、どの高さレベルまで洪水が発生している（即ち、水が到達している）かを容易に知ることができる。更に、システム制御手段は、洪水発生警報装置からの洪水発生信号に基づいてその洪水発生警報装置の設置された設置高さレベルに基づいた設置レベル洪水発生信号を生成し、生成した設置レベル洪水発生信号に対応した設置レベル洪水情報を選択して警報情報出力手段に出力するので、洪水の発生状況に応じた警報情報（例えば、避難情報など）を発して周囲住民の安全を図ることができる。
【図面の簡単な説明】
【００２０】
【図１】本発明に従う洪水発生警報装置の設置例を示す斜視図。
【図２】図１の洪水発生警報装置における水検知スイッチ手段を示す斜視図。
【図３】図１の洪水発生警報装置の電気回路を簡略的に示す回路図。
【図４】本発明に従う洪水発生警報システムの設置例を簡略的に示す図。
【図５】図４の洪水発生警報システムの制御系を簡略的に示すブロック図。
【図６】洪水発生装置の変形形態における電気回路を簡略的に示す回路図。
【発明を実施するための形態】
【００２１】
以下、添付図面を参照して、本発明に従う洪水発生警報装置及びこれを用いた洪水発生警報システムについて説明する。
【００２２】
〔洪水発生警報装置〕
まず、図１〜図３を参照して、洪水発生警報装置の一実施形態について説明する。図１〜図３において、この洪水発生警報装置は、水を検知する水検知スイッチ手段２と、警報を発する警報手段４（４Ａ，４Ｂ）とを備えている。この形態では、水検知スイッチ手段２は、家屋６の基礎８に関連して設置され、洪水の水がこの基礎８まで到達したときにこれを検知する。この形態では、家屋６の基礎８に関連して洪水を検知しているが、家屋６に到達する少し前の段階において検知するように、家屋６の門、石垣、ブロック塀などに関連して設けるようにしてもよく、或いは庭などに設けた支持柱などに設けるようにしてもよい。
【００２３】
この形態では、水検知スイッチ手段２は、水面に浮かぶフロート（図示せず）を備えたフロートスイッチ手段１０から構成され、このフロートスイッチ手段１０としては、それ自体周知のものを用いることができる。フロートスイッチ手段１０のフロート（図示せず）は、水面の上昇によって上方に移動し、洪水によって水面が所定レベルまで上昇すると、このフロートがスイッチ（図示せず）を閉状態にし、これによって、フロートスイッチ手段１０がオン状態となる。
【００２４】
水検知スイッチ手段２は、更に、矩形状の細長いスイッチハウジング１２を備え、フロートスイッチ手段１０は、このスイッチハウジング１２に内蔵されている（図２参照）。スイッチハウジング１２の下部１４には多数の開口１６が設けられており、水はこれら開口１６を通して内部に侵入してフロート（図せず）に作用し、このような構成にすることによって、水に流された木片、ゴミなどがスイッチハウジング１２内に流入するのを防止することができる。
【００２５】
スイッチハウジング１２の上部には、Ｌ字状の取付金具１６が固定され、この取付金具１６の取付部１８に一対の細長い取付孔２０が設けられている。このスイッチハウジング１２は、各取付孔１８を通して固定用ねじ２２を螺着することによって、家屋６の外壁２４（又は基礎８）に取り付けられる。尚、取付孔２０は上下方向に細長く形成されているので、この取付孔２０の範囲内において、スイッチハウジング１２の取付位置を上下方向に調整することができる。
【００２６】
警報手段４（４Ａ，４Ｂ）は、家屋６の内部の適宜の場所に設置することができ、この実施形態では、１階の居間、２階の寝室及び階段に設置されている（図１参照）。この形態では、居間及び寝室に設置された警報手段４Ａは、点灯によって警報を知らせる警報ランプ２６と、音によって警報を知らせる警報ブザー２８とを備え、これら警報ランプ２６及び警報ブザー２８が装置ハウジング３０内に内蔵されている。また階段に設置された警報手段４Ｂは、音声によって警報を知らせる音声警報手段３２から構成され、この音声警報手段３２は、音声情報が登録されたボイスレコーダ３４及び音声情報を出力する音声出力手段３６（例えば、スピーカ）から構成されている。
【００２７】
警報手段４としては、警報ランプ２６、警報ブザー２８及び音声警報装置３２並びにこれらの組合せを適宜に用いることができ、その形態、設置個数などは家屋６に応じて適宜選定することができる。
【００２８】
この洪水発生警報装置は、例えば、図３に示す制御回路３８によって制御される（図３においては、警報手段４Ａについては一つのみ示す）。図示の制御回路３８は、水検知スイッチ手段２（フロートスイッチ手段１０）を含む主回路部４０と、警報手段４（４Ａ，４Ｂ）が配設された副回路部４２とを含んでいる。主回路部４０は、電池の如き電源４４、主スイッチ手段４６及び水検知スイッチ手段２を備え、これらが電気的に直列に接続されている。この形態では、更に、この主回路部４０に作動リレー４８及びリセットリレー５０が電気的に接続されている。また、水検知スイッチ手段２に電気的に並列に第１セットリレー５２が接続されている。このように構成されているので、主スイッチ手段４６をオン状態にすると、洪水発生警報装置は検知状態となるが、水検知スイッチ手段２が水を検知する（換言すると、フロートが所定レベルまで上昇して水を検知する）までは電源４４からの電力は消費されず、消費電力を極力抑えた制御となる。
【００２９】
また、副回路部４２は、主回路部４０の水検知スイッチ手段２、リセットリレー５０及び作動リレー４８に電気的に並列に接続され、この副回路部４２においては、警報手段４Ａ及び警報手段４Ｂが電気的に並列に接続されている。この形態では、警報手段４Ａの警報ランプ２６が第２セットリレー５４を介して主回路部４０に電気的に接続され、その警報ブザー２８が第２セットリレー５６を介して主回路部４０に電気的に接続され、また警報手段４Ｂのボイスレコーダ３４が第２セットリレー５８を介して主回路部４０に電気的に接続されている。尚、警報ランプ２６及び警報ブザー２８を一つのユニットとして構成する場合、警報ランプ２６及び警報ブザー２８を共通の第２セットリレーを介して主回路部に電気的に接続することもできる。
【００３０】
副回路部４２をこのように構成することにより、例えば警報手段４Ａ，４Ｂに加えて例えば出力手段５４（例えば、洪水発生したときに生成される洪水発生信号（後述する）を外部に出力する手段）などを設ける場合、この出力手段５４などを警報手段４Ａ，４Ｂと電気的に並列に接続すればよく、他の機能などを容易に追加接続することができる。尚、この場合、出力手段５４も第２セットリレー６２を介して主回路部４０に電気的に接続される。
【００３１】
この洪水発生警報装置による警報は、次のようにして行われる。洪水発生を検知する場合、主スイッチ手段４６をオン状態にして洪水発生警報装置を検知状態にする。この検知状態においては、水検知スイッチ手段２がオフ状態（開状態）に保持され、また第１セットリレー５２及び第２セットリレー５４，５６，５８，６２もオフ状態に保持され、このような検知状態においては、電源４４の電力が消費されることはない。
【００３２】
そして、この検知状態において、洪水が発生して水が水検知スイッチ手段２まで流れてきてフロート（図示せず）が所定レベルまで上昇すると、水検知スイッチ手段２（フロートスイッチ手段１０）がオン状態となる。かくすると、電源４４からの電力が、主スイッチ手段４６、水検知スイッチ手段２及びリセットリレー５０を介して作動リレー４８に供給され、作動リレー４８が付勢されてオン状態となる。
【００３３】
このように作動リレー４８がオン状態になると、第１セットリレー５２及び第２セットリレー５４，５６，５８，６２が付勢されてオン状態となる。第１セットリレー５２がオン状態になると、電源４４からの電力が、この第１セットリレー５２、リセットリレー５０を介して作動リレー４８に供給され、これによって、水検知スイッチ手段２の検知状態にかかわらず作動リレー４８の作動状態が保持される（これにより、第１セットリレー５２及び第２セットリレー５４，５６，５８，６２がオン状態に保持される）。
【００３４】
第２セットリレー５４がオン状態になると、電源４４からの電力が第２セットリレー５４を介して警報手段４Ａの警報ブザー２８に供給され、この警報ブザー２８が作動して洪水が発生して水が家屋６まで流れてきたことをブザー音でもって警報する。また、第２セットリレー５６がオン状態になると、電源４４からの電力が第２セットリレー５６を介して警報手段４Ａの警報ランプ２６に供給され、この警報ランプ２６が作動して点灯光でもって警報する。更に、第２セットリレー５８がオン状態になると、電源４４からの電力が第２セットリレー５８を介して警報手段４Ｂのボイスレコーダ３４に供給され、このボイスレコーダ３４が作動して音声でもって警報する。更にまた、第２セットリレー６２がオン状態になると、電源４４からの電力が第２セットリレー６２を介して出力手段６０に供給され、この出力手段６０が作動して洪水発生信号を出力し、出力された洪水発生信号は、例えば、後述するように利用される。このように水検知スイッチ手段２が洪水の水を検知することにより、警報手段４Ａ，４Ｂが作動して警報を発するので、家屋６の住民の安全を確保することができる。
【００３５】
このような警報状態を解除するには、主スイッチ手段４６をオフ状態にすればよい。かくすると、リセットリレー５０が開状態（オフ状態）となり、電源４４から作動リレー４８への電力の供給が遮断され、作動リレー４８が除勢されてオフ状態となり、これによって、第１セットリレー５２及び第２セットリレー５４，５６，５８，６２が除勢されてオフ状態となる。従って、警報ランプ２６、警報ブザー２８、ボイスレコーダ３４及び出力手段６０への電力供給が遮断され、これらの作動が停止し、警報状態が解除される。
【００３６】
この実施形態では、主スイッチ手段４６をオフ状態にして警報の解除を行い、主スイッチ手段４６をリセットスイッチとしても機能させているが、主スイッチ手段４６に加えて専用のリセットスイッチを設けるようにしてもよく、この場合、リセットスイッチを操作して警報の解除を行うようになる。
【００３７】
〔洪水発生警報システム〕
図１〜図３に示す洪水発生警報装置は、図４〜図５に示す洪水発生警報システムに好都合に用いることができる。図４及び図５において、この警報システムにおいては、河川１０２からの土地の高さレベル（換言すると、堤防１０４の住居側の最も低い土地からの高さレベル）に対応して上述の洪水発生警報装置１０６が設置される。例えば、高さレベルが最も低い第１土地１０８に対応して、この土地１０８に建てられた家屋１１０に関連して第１洪水発生警報装置１０６Ａが設置され、第１土地１０８よりも高さレベルが高い第２土地１１２に対応して、この土地１１２に建てられた家屋１１４に関連して第２洪水発生警報装置１０６Ｂが設置され、また第２土地１１２よりも高さレベルが更に高い第３土地１１６に対応して、この土地１１６に建てられた家屋１１８に関連して第３洪水発生警報装置１０６Ｃが設置されている。尚、この説明では、洪水発生警報装置（１０６Ａ〜１０６Ｃ）を設置する土地については、３段階の高さレベルについて適用して説明しているが、実際の警報システムにおいては、例えば１〜３ｍの高さレベル毎に洪水発生警報装置（１０６Ａ〜１０６Ｃ）が設置される。
【００３８】
この洪水発生警報装置１０６Ａ〜１０６Ｃは、上述の洪水発生警報装置２とほぼ同一の構成であり、水を検知するフロートスイッチ手段１２０、警報ブザー１２２及び警報ランプ１２４を備え、上述の洪水発生警報装置２の出力手段６０に信号を送信するための送信手段１２６が接続され、洪水発生警報装置１０６Ａ〜１０６Ｃにて生成された洪水発生信号が送信手段１２６を介して警報管理センター１２８のシステム制御手段１３０に送給される。
【００３９】
この形態では、河川１０２の堤防１０４に関連して洪水警報装置１３２が設置され、この洪水警報装置１３２は、第１〜第３洪水発生警報装置１０６Ａ〜１０６Ｃと実質上同一の構成であり、水検知スイッチ手段（図示せず）が水を検知すると洪水注意信号を生成する。このような洪水警報装置１３２については、堤防１０４に高さレベルに対応して複数設置するようにしてもよい。
【００４０】
警報管理センター１２８は、高台１３４などに設置され、この警報管理センター１２８に、システムコンピュータなどから構成されるシステム制御手段１３０が設置される。システム制御手段１３０は、各種信号を処理する信号処理手段１３４と、信号処理手段１３４にて処理された信号に基づいて洪水レベルを判定するレベル判定手段１３６と、レベル判定手段１３６による判定レベルに基づいて設置レベル注意信号を生成する注意信号生成手段１３８と、この判定レベルに基づいて設置レベル洪水発生信号を生成する洪水発生信号生成手段１４０と、音声情報を選択する音声情報選択手段１４１と、各種情報が登録された記憶手段１４２とを備えている。記憶手段１４２には、例えば、洪水発生のレベルに関するレベル情報が登録されているとともに、洪水発生の注意についての洪水注意情報及び洪水発生の警告についての洪水警報情報に関する音声情報などが登録され、音声情報選択手段１４１は、記憶手段１４２に登録された音声情報から設置レベル注意信号及び設置レベル洪水発生信号に対応するものを選択する。
【００４１】
このシステム制御手段１３０に関連して、入力手段１４４、警報手段１４６及び受信手段１４８が設けられている。入力手段１４４は、音声マイクなどから構成される音声入力手段１５２を備えている。例えば、注意信号、警報信号が生成されたときに、管理者はこの音声入力手段１５２を用いて注意情報、避難情報などを知らせることができる。警報手段１４６は、管理者に警報を発するためのもので、警報ランプ、警報ブザーなどから構成される。受信手段１４８は、第１〜第３洪水発生警報装置１０６Ａ〜１０６Ｃからの洪水発生信号及び洪水警報装置１３２からの洪水注意信号を受信し、この受信手段１４８を介して受信された洪水発生信号及び洪水注意信号がシステム制御手段１３０にて後述する如く処理される。第１〜第３洪水発生警報装置１０６Ａ〜１０６Ｃからの洪水発生信号及び洪水警報装置１３２からの洪水注意信号は、図示のように電波などで送るようにしてもよく、或いは有線で送るようにしてもよい。
【００４２】
また、このシステム制御手段１３０に関連して、警報情報出力手段として音声情報出力手段１５２Ａ，１５２Ｂ，１５２Ｃが設けられる。音声情報出力手段１５２Ａ〜１５２Ｃは、例えば、拡声器などから構成され、土地１０８，１１２，１１６などに適宜設置され、システム制御手段１３０からの洪水注意情報及び洪水警報情報などが送給され、これら洪水注意情報及び洪水警報情報が音声情報出力手段１５２Ａ〜１５２Ｃから出力されて周囲に知らされる。
【００４３】
この洪水警報システムでは、河川１０２の水嵩が増えて水面が上昇して洪水警報装置１３２の水検知スイッチ手段（図示せず）が水を検知すると、洪水警報装置１３２が洪水注意信号を生成し、生成された洪水注意信号がシステム制御手段１３０に送給される。かくすると、信号処理手段１３４は、この洪水注意信号を所要の通りに処理し、レベル判定手段１３６は、洪水注意レベルにあると判定し、洪水注意信号生成手段１３８は設置レベル洪水注意信号（例えば、第１段階の洪水注意信号）を生成する。この洪水注意信号が生成されると、音声情報選択手段１４１は、生成された洪水注意信号に基づいて、記憶手段１４２に登録された音声情報から対応する洪水注意の音声情報を選択し、選択された音声情報が音声情報出力手段１５２Ａ〜１５２Ｃから出力され、洪水発生のおそれがある旨の洪水注意情報が周囲に知らされる。
【００４４】
また、河川から水が溢れて土地１１０（又は土地１１２，１１６）に洪水が発生すると、第１洪水発生警報装置１０６Ａ（又はこれに加えて第２洪水発生警報装置１０６Ｂ、第３洪水発生警報装置１０６Ｃ）のフロートスイッチ１２０が水を検知し、第１洪水発生警報装置１０６Ａ（又はこれに加えて第２洪水発生警報装置１０６Ｂ、第３洪水発生警報装置１０６Ｃ）が洪水発生信号を生成し、生成された洪水発生信号がシステム制御手段１３０に送給される。かくすると、信号処理手段１３４は、この洪水発生信号を所要の通りに処理し、レベル判定手段１３６は、発生した洪水のレベルを判定する。このとき、レベル判定手段１３６は、第１洪水発生警報装置１０６Ａからの洪水発生信号を受信したときには洪水が第１洪水レベル（即ち、土地１０８が浸水状態である）と判定し、第１洪水発生警報装置１０６Ａ及び第２洪水発生警報装置１０６Ｂからの洪水発生信号を受信したときには洪水が第２洪水レベル（即ち、土地１１２まで浸水状態である）と判定し、また第１洪水発生警報装置１０６Ａ、第２洪水発生警報装置１０６Ｂ及び第３洪水発生警報装置１０６Ｃからの洪水発生信号を受信したときには洪水が第３洪水レベル（即ち、土地１１６まで浸水状態である）と判定する。
【００４５】
そして、第１洪水レベル（又は第２洪水レベル、第３洪水レベル）と判定されると、洪水発生信号生成手段１３８は、第１〜第３洪水発生警報装置１０６Ａ〜１０６Ｃを設置した土地１０８，１１２，１１６の高さレベルに基づく設置レベル洪水発生信号、この形態では、第１洪水レベル（又は第２洪水レベル、第３洪水レベル）に対応した第１洪水発生信号（又は第２洪水発生信号、第３洪水発生信号）を生成する。
【００４６】
この第１洪水発生信号（又は第２洪水発生信号、第３洪水発生信号）が生成されると、音声情報選択手段１４１は、生成された第１洪水発生信号（又は第２洪水発生信号、第３洪水発生信号）に基づいて、記憶手段１４２に登録された音声情報から対応する第１洪水レベル（又は第２洪水レベル、第３洪水レベル）の音声情報を選択し、選択された音声情報が音声情報出力手段１５２Ａ〜１５２Ｃから出力され、第１レベル（又は第２レベル、第３レベル）の洪水が発生した旨の洪水発生情報が周囲に知らされる。
【００４７】
尚、上述した実施形態では、洪水発生警報装置１０６Ａ〜１０６Ｃに加えて洪水警報装置１３２が設けられているが、このような構成に限定されず、洪水警報装置１３２については省略することもできる。
【００４８】
〔洪水発生警報装置の変形形態〕
次に、図６を参照して、洪水発生警報装置の変形形態について説明する。この変形形態においては、副回路部に関連して、携帯用照明装置が設けられている。尚、この変形形態において、図１〜図３に示す実施形態と実質上同一の構成要素には同一の参照番号を付し、その説明を省略する。
【００４９】
図６において、この変形形態の洪水発生警報装置では、副回路部４２Ａに、第２セットリレー５４及び警報ブザー２８（及び第２セットリレー５６及び警報ランプ２６）に電気的に並列に第３セットリレー２０２が設けられている。作動リレー４８がオン状態になると、第２セットリレー５４，５６とともに第３セットリレー２０２もオン状態となる。
【００５０】
この第３セットリレー２０２に関連して携帯用照明装置２０４が設けられ、図示の携帯用照明装置２０４は、警報ブザー２０６及び照明用ＬＥＤ２０８を備えている。この形態では、携帯用照明装置２０４の照明回路部２１０は、電池の如き電源２１２を備え、この電源２１２に照明用ＬＥＤ２０８及び照明用スイッチ２１２が電気的に直列に接続されている。従って、照明用スイッチ２１２をオン状態及びオフ状態にすることによって、照明用ＬＥＤ２０８が点灯及び消灯する。
【００５１】
また、この照明回路部２１０には、警報ブザー２０６、補助スイッチ手段２１４及びリレースイッチ手段２１６が、照明用ＬＥＤ２０８及び照明用スイッチ２１２に対して電気的に並列に設けられている。リレースイッチ手段２１６は、電気コード２１８などを介して洪水発生警報装置の副回路部４２Ａに電気的に接続可能に構成され、副回路部４２Ａに電気コード２１８を介して電気的に接続された状態においては、第３セットリレー２０２がオン状態になると、このリレースイッチ手段２１６がオン状態になり、またこの電気コード２１８を外すと、リレースイッチ手段２１６はオフ状態になる。
【００５２】
この携帯用照明装置２０４を備えた洪水発生警報装置においては、水検知スイッチ手段２が洪水の水を検知してオン状態になると、上述したと同様にして第１セットリレー５２が付勢されてオン状態となって作動リレー４８の付勢状態が保持され、また第２セットリレー５４，５６が付勢されてオン状態となり、警報ブザー２８及び警報ランプ２６が作動され、更に第３セットリレー２０２が付勢されてオン状態となる。第３セットリレー２０２がオン状態となると、電気コード２１８を介してリレースイッチ手段２１８がオン状態となり、電源２１２からの電力がリレースイッチ手段２１６及び補助スイッチ手段２１４を介して警報ブザー２０６に送給され、この警報ブザー２０６が作動され、この携帯用照明装置２０４を警報手段としても機能させることができる。また、警報ブザー２０６が作動するので、携帯用照明装置２０４の置き場所を容易に知ることができる。尚、補助スイッチ手段２１４をオフ状態にする、或いは電源コード２１８を外してリレースイッチ手段２１６をオフ状態にすると、警報ブザー２０６への電力供給が遮断されてその作動が停止する。
【００５３】
電源コード２１８を外すことによって、携帯用照明装置２０４を持って移動することが可能となる。そして、照明用スイッチ２１２をオン状態にすると、照明用ＬＥＤ２０８が点灯し、避難時の携帯用照明として好都合に用いることができる。
【００５４】
上述した形態では、補助スイッチ手段２１４を設けているが、警報ブザー２０６の作動停止を電気コード２１８を外すことによってのみ行うようにする場合、この補助スイッチ手段２１４を省略することができる。
【００５５】
また、上述した形態では、リレースイッチ手段２１６がオン状態になったときに警報ブザー２０６のみ作動させているが、このような構成に代えて、又はこのような構成に加えて、照明用ＬＥＤ２０８を点灯させて携帯用照明装置２０８の置き場所をよりわかりやすくするようにしてもよい。
【００５６】
以上、本発明に従う洪水発生警報装置及びこれを備えた警報発生警報システムの実施形態について説明したが、本発明はかかる実施形態に限定されるものではなく、本発明の範囲を逸脱することなく種々の変更乃至修正が可能である。
【符号の説明】
【００５７】
２  水検知スイッチ手段
４，４Ａ，４Ｂ  警報手段
１０，１２０  フロートスイッチ手段
２６，１２４  警報ランプ
２８，１２２，２０６  警報ブザー
３２  音声警報装置
３８  制御回路
４０  主回路部
４２，４２Ａ  副回路部
４８  作動リレー
５０  リセットリレー
５２  第１セットリレー
５４，５６，５８，６２  第２セットリレー
１０６Ａ，１０６Ｂ，１０６Ｃ  洪水発生警報装置
１３０  システム制御手段
１３６  レベル判定手段
１３８  注意信号生成手段
１４０  洪水発生信号生成手段
２０２  第３セットリレー
２０４  携帯用照明装置
２０８  照明用ＬＥＤ
２１６  リレースイッチ手段
【図１】
2013109558.tif 000003
【図２】
2013109558.tif 000004
【図３】
2013109558.tif 000005
【図４】
2013109558.tif 000006
【図５】
2013109558.tif 000007
【図６】
2013109558.tif 000008